(57)【特許請求の範囲】
【請求項１】
上ハーフと下ハーフとから成り、前面に装置側のテープ引き出し部材挿入用の開口部を形成したカセット本体と、前記開口部の両側に設けられたテープガイドによって前記開口部に架張されたテープと、前記カセット本体に回動自在に支持され前記テープの前面を覆う前蓋と前記テープの上面を覆う上蓋と前記テープの後面を覆う後蓋とを備え、
前記下ハーフにおける前記開口部の両側前面に、装置に挿入した時前方向位置を決める前方向位置規制突起を設け、且つ、それぞれの前記前方向位置規制突起の側面の内側同士あるいは外側同士のどちらか一方を前記カセット本体の長手方向に対して直角の平面部に形成すると共に、前記前蓋の前板の下部両側に受け面部を設け、前記受け面部を前記前板の面に対して直角の面に形成し、閉蓋時、前記下ハーフの前記平面部と前記前蓋の前記受け面部をわずかの間隔をおいて対向して位置させ、前記前蓋が長手方向に移動した時、前記下ハーフの前記平面部と前記前蓋の前記受け面部が当接する様にしたことを特徴とするテープカセット。
【請求項２】
前記下ハーフの前記平面部と前記前蓋の前記受け面部との当接位置を前記下ハーフのテープ通過口から外れた位置に設けたことを特徴とする請求項１記載のテープカセット。
【請求項３】
前記前蓋の前記受け面部を前記前板の厚みより幅広い面で形成したことを特徴とする請求項１記載のテープカセット。
【発明の詳細な説明】
【０００１】
【発明の属する技術分野】
本発明は、ビデオテープレコーダーの如き磁気記録再生装置やその他各種の情報処理装置などに使用するテープカセットの蓋構造に関するものであり、特に蓋構成としてテープの前面と上面及び後面をそれぞれ覆う３枚蓋のテープカセットに関する。
【０００２】
【従来の技術】
近年、磁気記録の高密度化にともない、ビデオテープレコーダー（以下ＶＴＲという）及びテープカセットがコンパクトになり、ＶＴＲは風景や撮影取りのように屋外で使用される機会が多くなってきた。
【０００３】
その中で、テープカセットの蓋構造についても薄型化と屋外使用を考慮し、特に開蓋時の開高さをできるだけ低くするためテープの前面、上面及び後面をそれぞれ別部材で構成して覆うようにした３枚蓋のものが考案され実用化されている。
【０００４】
以下、図面を参照しながら上述した従来のテープカセット１０について説明する。図９は開蓋状態における従来のテープカセット１０の組立斜視図、図１０はテープカセット１０の分解斜視図、図１１は閉蓋状態における組立斜視図、図１２は底面側から見た閉蓋状態における組立斜視図である。
【０００５】
図９において、カセット本体は合成樹脂で成形された上ハーフ２と下ハーフ３を上下方向から組合せることにより一体の筐体に形成される。又、カセット本体にはテープ４を巻回した一対のリール５が収納されている。カセット本体の前面にはＶＴＲ側のテープ引き出し部材(図示せず)が挿入される為の開口部６が設けられている。開口部６の下ハーフ３側の両側には下ハーフ３と一体に形成された一対のテープガイド７が設けられており、テープ４はテープガイド７に案内されて開口部６に沿って架張される。
【０００６】
図１０において、前蓋１１は開口部６に架張されたテープ４の前面を覆う前板１１ａと上ハーフ２および下ハーフ３の前方側面を覆う側板１１ｂとから構成されており略コの字形状をしている。前面部１１ａの下部両端には切り欠き１１ｃが設けられている。切り欠き１１ｃの片側面１１ｆは後述する下ハーフ３のテープ通過口３ａの前端部に設けられた斜面部３ｅと同様な傾斜をもって形成されている。又、前板１１ａの上部両端には一対のピン孔１１ｄが形成されている。一方、前蓋１１の側板１１ｂには一対の支点ピン１１ｅが設けられ、支点ピン１１ｅは上ハーフ２の前方両側壁部に設けられた一対の切欠部(図示せず)に挿入され前蓋１１は支点ピン１１ｅを中心に回動自在とされている。又、支点ピン１１ｅの一方側にはコイルバネ１２が装着されており前蓋１１を常時閉蓋方向に回動付勢している。
【０００７】
上蓋８の側板８ａの前方内側には一対の支持ピン８ｂが設けられ、支持ピン８ｂは前蓋１１のピン孔１１ｄに挿入されて回動自在とされている。さらに、上板８ｃの内側には一対の軸受部８ｄが設けられており、軸受部８ｄにはピン孔８ｅが形成されている。
【０００８】
上ハーフ２の側壁前方には一対のガイド溝２ｄが形成され、ガイド溝２ｄには上蓋８の側板８ａに形成されたガイドピン８ｆが摺動自在に取り付けられている。
【０００９】
後蓋９の上部側面には一対の支持ピン９ａが設けられており、支持ピン９ａは上蓋８の軸受部８ｄに回動自在に取り付けられている。又，後蓋９の下部側面には一対のガイドピン９ｂを有した突出部９ｃが設けられている。
【００１０】
下ハーフ３の開口部６の両側にはテープ４が通る通過口３ａが形成されている。通過口３ａの開口部６側には一対のテープガイド７とその後方に一対の後蓋ガイド溝３ｂが設けられている。後蓋ガイド溝３ｂには後蓋９のガイドピン９ｂが摺動自在に挿入されている。一方、通過口３ａの前端部にはテープカセット１０がＶＴＲのカセットホルダー(図示せず)に挿入された時の前方向位置を決める前方向位置規制突起３ｃが設けられている。前方向位置規制突起３ｃは、テープカセット１０の長手方向と平行な前方向位置規制面３ｄと斜面部３ｅから成っている。さらに、下ハーフ３の一方壁３ｆにはスリット３ｇが設けられており、スリット３ｇ内の壁上部には軸受け部３ｈが形成されている。軸受け部３ｈには蓋ロック部材１３が取り付けられており、蓋ロック部材１３は板バネ１４でロック方向に付勢されている。尚、上ハーフ２と下ハーフ３はネジ１５によって締結されている。
【００１１】
閉蓋時は、図１１に示すようにテープ４は上蓋８と後蓋９と前蓋１１によって覆われると共に、下ハーフ３の前方向位置規制突起３ｃに前蓋１１の切り欠き１１ｃが入り込むようになっている。又、図１２に示すように下ハーフ３のテープ通過口３ａの前端部に設けた前方向位置規制突起３ｃの斜面部３ｅは前蓋１１の切り欠き１１ｃの片側面１１ｆとわずかな間隔をおいて対向するようになっている。
【００１２】
【発明が解決しようとする課題】
しかしながら、この様な蓋構成ではテープカセット１０を床などに落とした場合、具体的にはテープカセット１０を前蓋側の特にコーナーから落とした時に前蓋の変形、前蓋回動軸の折れ、上蓋あるいは後蓋の外れ等が生じ蓋の開閉動作ができなくなるという重欠点があった。
【００１３】
図１３は前蓋１１の斜視図、図１４は図１３をａ方向から見た図、図１５は前蓋１１が長手方向に変形した状態を示した図である。図１４に示すように前蓋１１は比較的厚みの薄い平板状の前板１１ａと側板１１ｂとから構成されており且つ略コの字状になっているので支点ピン１１ｅを固定端として矢印Ｂ方向に力が作用した場合、図１５に示すような形状に変形してしまう。
【００１４】
次に、上述した前蓋１１を組み込んだテープカセットを床などに落とした場合について説明する。図１６はテープカセット１０が床１６にぶつかった瞬間の状態を示し、図１７は図１６の矢視Ｃ部における力の作用状態を示したものである。
【００１５】
図１６に示すように前蓋１１は落下の衝撃でテープカセット１０の長手方向(図中の矢印Ｄ方向)に移動し、下ハーフ３の前方向位置規制突起３ｃの斜面部３ｅと前蓋１１の切り欠き１１ｃの片側面１１ｆとが当接する。ところが、当接面が移動方向(図中の矢印Ｄ方向)に対して傾斜をもっているので図１７に示すように衝撃力Ｆ１は分力Ｆ２と分力Ｆ３となり分力Ｆ３が前蓋１１をｅ方向に移動させる力となって作用する。その結果、図１８に示すように前蓋１１の切り欠き１１ｃの片側面１１ｆが下ハーフ３の斜面部３ｅを乗り越えてしまい前蓋に異常な力が加わり前蓋の変形、前蓋回動軸の折れ、上蓋あるいは後蓋の外れ等が生じ蓋の開閉動作ができなくなるという重欠問題が発生していた。
【００１６】
本発明は上記課題を解決する為になされ、その目的とする所はテープカセットを誤って落とした場合においても蓋へのダメージがなく常時安定した蓋開閉動作が行える蓋構造を有するテープカセットを提供することにある。
【００１７】
【課題を解決するための手段】
上記課題を解決する本発明に係るテープカセットは、下ハーフの開口部の両側前面に設けた前方向位置規制突起の側面の内側同士あるいは外側同士のどちらか一方をカセット本体の長手方向に対して直角の平面部に形成すると共に、前蓋の前板の下部両側に受け面部を設け、受け面部を前板の面に対して直角の面に形成し、閉蓋時、下ハーフの平面部と前蓋の受け面部をわずかの間隔をおいて対向して位置させ、前蓋が長手方向に移動した時、下ハーフの平面部と前蓋の受け面部が当接する様に構成されている。
【００１８】
【発明の実施の形態】
以下、本発明を図面と共に詳細に説明する。
【００１９】
（実施の形態１）
図１は本発明に係るテープカセット１の分解斜視図である。図９から図１８までに示した従来のテープカセット１０と同一の部材には同一の参照番号を付している。又、テープカセット１の基本的な構造は従来のテープカセット１０と同様である。
【００２０】
より詳細に説明すると、図１に示した様に、本発明に係るテープカセット１は、従来のテープカセット１０と同様に、前蓋１１は開口部６に架張されたテープ４の前面を覆う前板１１ａと上ハーフ２および下ハーフ３の前方側面を覆う側板１１ｂとから構成されており略コの字形状をしている。前板１１ａの下部両端には切り欠き１１ｃが設けられている。切り欠き１１ｃの片側面１１ｆは前板１１ａに対して直角の面に形成されている。又、前板１１ａの上部両端には一対のピン孔１１ｄが形成されている。一方、前蓋１１の側板１１ｂには一対の支点ピン１１ｅが設けられ、支点ピン１１ｅは上ハーフ２の前方両側壁部に設けられた一対の切欠部２ｂに挿入され前蓋１１は支点ピン１１ｅを中心に回動自在とされている。又、支点ピン１１ｅの一方側にはコイルバネ１２が装着されており前蓋１１を常時閉蓋方向に回動付勢している。
【００２１】
上蓋８の側板８ａの前方内側には一対の支持ピン８ｂが設けられ、支持ピン８ｂは前蓋１１のピン孔１１ｄに挿入されて回動自在とされている。さらに、上板８ｃの内側には一対の軸受部８ｄが設けられており、軸受部８ｄにはピン孔８ｅが形成されている。
【００２２】
上ハーフ２の側壁前方には一対のガイド溝２ｄが形成され、ガイド溝２ｄには上蓋８の側板８ａに形成されたガイドピン８ｆが摺動自在に取り付けられている。
【００２３】
後蓋９の上部側面には一対の支持ピン９ａが設けられており、支持ピン９ａは上蓋８の軸受け部８ｄに回動自在に取り付けられている。又，後蓋９の下部側面には一対のガイドピン９ｂを有した突出部９ｃが設けられている。
【００２４】
下ハーフ３の開口部６の両側にはテープ４が通る通過口３ａが形成されている。通過口３ａの開口部６側には一対のテープガイド７とその後方に一対の後蓋ガイド溝３ｂが設けられている。後蓋ガイド溝３ｂには後蓋９のガイドピン９ｂが摺動自在に挿入されている。一方、通過口３ａの前端部にはテープカセット１がＶＴＲのカセットホルダー(図示せず)に挿入された時の前方向位置を決める前方向位置規制突起３ｃが設けられている。前方向位置規制突起３ｃは前方向位置規制面３ｄと、前方向位置規制面３ｄに対して直角の平面部３ｅから成っている。さらに、下ハーフ３の一方壁３ｆにはスリット３ｇが設けられており、ロック部材１３が取り付けられており、蓋ロック部材１３は板バネ１４でロック方向に付勢されている。尚、上ハーフ２と下ハーフ３はネジ１５によって締結されている。
【００２５】
閉蓋時は、図２に示すように下ハーフ３の前方向位置規制突起３ｃの平面部３ｅは前蓋１１の切り欠き１１ｃの片側面１１ｆとわずかな間隔をおいて対向するようになっている。
【００２６】
以上の様に構成された本発明のテープカセット１を誤って床などに落下させた場合を図でもって説明する。図３はテープカセット１が床１６にぶつかった瞬間の状態を示し、図４は図３の矢視Ｇ部における力の作用状態を示したものである。
【００２７】
図３に示すように前蓋１１は落下の衝撃でテープカセット１の長手方向(図中の矢印Ｈ方向)に移動し、下ハーフ３の前方向位置規制突起３ｃの平面部３ｅと前蓋１１の切り欠き１１ｃの片側面１１ｆとが当接する。ところが、当接面が移動方向(図中の矢印Ｈ方向)に対して直角の面になっているので図４に示すように衝撃力Ｆ１は図１７で説明した分力Ｆ２に全て置き換わり分力Ｆ３は発生しなくなる。その結果、前蓋１１はその状態で維持することができる。
【００２８】
以上、説明した様に本発明の実施の形態１の構成にすることによりテープカセット１を誤って床などに落下させた場合でも、従来カセットで発生していた前蓋１１の切り欠き１１ｃの片側面１１ｆが下ハーフ３の斜面部３ｅを乗り越えてしまうという現象は起こらなくなり前蓋の変形、前蓋回動軸の折れ、上蓋あるいは後蓋の外れ等が生じ蓋の開閉動作ができなくなるいう重欠問題が回避できる。
【００２９】
（実施の形態２）
図５は、本発明に係るテープカセット１７の開蓋状態における組立斜視図である。図５において、カセット本体は合成樹脂で成形された上ハーフ２と下ハーフ３を上下方向から組合せることにより一体の筐体に形成される。又、カセット本体にはテープ４を巻回した一対のリール５が収納されている。カセット本体の前面にはＶＴＲ側のテープ引き出し部材(図示せず)が挿入される為の開口部６が設けられている。開口部６の下ハーフ３側の両側には下ハーフ３と一体に形成された一対のテープガイド７が設けられており、テープ４はテープガイド７に案内されて開口部６に沿って架張される。閉蓋時は、テープ４は上蓋８と後蓋(図示せず)と前蓋１１によって覆われる。
【００３０】
前蓋１１の前板１１ａの下部両端には切り欠き１１ｃが設けられている。切り欠き１１ｃの片側面１１ｆは前板１１ａに対して直角の面に形成されている。
【００３１】
下ハーフ３の開口部６の両側にはテープ４が通るテープ通過口３ａが形成されている。又、テープ通過口３ａの外側の前端部にはテープカセット１がＶＴＲのカセットホルダー(図示せず)に挿入された時の前方向位置を決める前方向位置規制突起３ｃが設けられている。前方向位置規制突起３ｃは前方向位置規制面３ｄと、前方向位置規制面３ｄに対して直角の平面部３ｅから成っている閉蓋時には、下ハーフ３の前方向位置規制突起３ｃ部に前蓋１１の切り欠き１１ｃが入り込むようになっている。
【００３２】
この様に本発明においては、前蓋１１の片側面１１ｆと下ハーフ３の平面部３ｅとの当接位置をテープ通過口３ａの外側に設けたものであり、実施の形態１と同等の効果がある上に、当接位置とテープ走行位置が離れているので当接によって当接面に発粉や微少なバリが生じた場合でもテープに影響を与え難い利点がある。
【００３３】
（実施の形態３）
図６は、本発明に係るテープカセット１８の開蓋状態における組立斜視図である。図６において、カセット本体は合成樹脂で成形された上ハーフ２と下ハーフ３を上下方向から組合せることにより一体の筐体に形成される。又、カセット本体にはテープ４を巻回した一対のリール５が収納されている。カセット本体の前面にはＶＴＲ側のテープ引き出し部材(図示せず)が挿入される為の開口部６が設けられている。開口部６の下ハーフ３側の両側には下ハーフ３と一体に形成された一対のテープガイド７が設けられており、テープ４はテープガイド７に案内されて開口部６に沿って架張される。閉蓋時は、テープ４は上蓋８と後蓋(図示せず)と前蓋１１によって覆われる。
【００３４】
前蓋１１の前板１１ａの下部両端には切り欠き１１ｃが設けられている。切り欠き１１ｃの片側下端部には突起１１ｇが設けられており、切り欠き１１ｃの片側面１１ｆは突起１１ｇの面と一体化され前板１１ａに対して直角の略Ｌ字状の面として構成されている。
【００３５】
下ハーフ３の開口部６の両側にはテープ４が通るテープ通過口３ａが形成されている。又、テープ通過口３ａの外側の前端部にはテープカセット１８がＶＴＲのカセットホルダー(図示せず)に挿入された時の前方向位置を決める前方向位置規制突起３ｃが設けられている。前方向位置規制突起３ｃは前方向位置規制面３ｄと前方向位置規制面３ｄに直角な平面部３ｅからなっており閉蓋時には、下ハーフ３の前方向位置規制突起３ｃ部に前蓋１１の切り欠き１１ｃが入り込むようになっている。
【００３６】
この様に本発明においては、前蓋１１の片側面１１ｆと下ハーフ３の平面部３ｅとの当接面を大きくとることができるので実施の形態１、実施の形態２に比べより確実な規制ができる利点がある。
【００３７】
（実施の形態４）
図７は、本発明に係るテープカセット１９の開蓋状態における組立斜視図である。図７において、カセット本体は合成樹脂で成形された上ハーフ２と下ハーフ３を上下方向から組合せることにより一体の筐体に形成される。又、カセット本体にはテープ４を巻回した一対のリール５が収納されている。カセット本体の前面にはＶＴＲ側のテープ引き出し部材(図示せず)が挿入される為の開口部６が設けられている。開口部６の下ハーフ３側の両側には下ハーフ３と一体に形成された一対のテープガイド７が設けられており、テープ４はテープガイド７に案内されて開口部６に沿って架張される。閉蓋時は、テープ４は上蓋８と後蓋(図示せず)と前蓋１１によって覆われる。
【００３８】
前蓋１１の前板１１ａの下部両端にはテープカセット１９の蓋ロックを解除するためにＶＴＲ側蓋ロック解除部材(図示せず)が通過する切り欠き１１ｈが設けられている。さらに、切り欠き１１ｈの内側には一対の切り欠き１１ｃが設けられている。切り欠き１１ｃの片側面１１ｆは前板１１ａに対して直角の面に形成されている。
【００３９】
下ハーフ３の開口部６の両側にはテープ４が通るテープ通過口３ａが形成されている。又、テープ通過口３ａの外側の前端部にはテープカセット１９がＶＴＲのカセットホルダー(図示せず)に挿入された時の前方向位置を決める前方向位置規制突起３ｃが設けられている。前方向位置規制突起３ｃは前方向位置規制面３ｄと、前方向位置規制面３ｄに対して直角の平面部３ｅから成っている閉蓋時には、下ハーフ３の前方向位置規制突起３ｃ部に前蓋１１の切り欠き１１ｃが入り込むようになっている。
【００４０】
この様に本発明においては、前蓋１１の片側面１１ｆと下ハーフ３の平面部３ｅとの当接位置を前方向位置規制突起３ｃの外側面に設けているので、テープカセット１９を前蓋側の特にコーナーから落とした時、テープカセット１９のコーナーから前蓋１１の片側面１１ｆと下ハーフ３の平面部３ｅとの当接位置までの距離が実施の形態１、実施の形態２、実施の形態３に比べ短くできるので前蓋１１の変形を受け難い利点がある。
【００４１】
（実施の形態５）
図８は、本発明に係るテープカセット２０の開蓋状態における組立斜視図である。図８において、カセット本体は合成樹脂で成形された上ハーフ２と下ハーフ３を上下方向から組合せることにより一体の筐体に形成される。又、カセット本体にはテープ４を巻回した一対のリール５が収納されている。カセット本体の前面にはＶＴＲ側のテープ引き出し部材(図示せず)が挿入される為の開口部６が設けられている。開口部６の下ハーフ３側の両側には下ハーフ３と一体に形成された一対のテープガイド７が設けられており、テープ４はテープガイド７に案内されて開口部６に沿って架張される。閉蓋時は、テープ４は上蓋８と後蓋(図示せず)と前蓋１１によって覆われる。
【００４２】
前蓋１１の前板１１ａの下部両端にはテープカセット２０の蓋ロックを解除するためにＶＴＲ側蓋ロック解除部材(図示せず)が通過する切り欠き１１ｈが設けられている。さらに、切り欠き１１ｈの内側には一対の切り欠き１１ｃが設けられている。前蓋１１の前板１１ａの下部両端には切り欠き１１ｃが設けられている。切り欠き１１ｃの片側下端部には突起１１ｇが設けられており、切り欠き１１ｃの片側面１１ｆは突起１１ｇの面と一体化され前板１１ａに対して直角の略Ｌ字状の面として構成されている。
【００４３】
下ハーフ３の開口部６の両側にはテープ４が通るテープ通過口３ａが形成されている。又、テープ通過口３ａの外側の前端部にはテープカセット２０がＶＴＲのカセットホルダー(図示せず)に挿入された時の前方向位置を決める前方向位置規制突起３ｃが設けられている。前方向位置規制突起３ｃは前方向位置規制面３ｄと、前方向位置規制面３ｄに対して直角な平面部３ｅから成っている閉蓋時には、下ハーフ３の前方向位置規制突起３ｃ部に前蓋１１の切り欠き１１ｃが入り込むようになっている。
【００４４】
この様に本発明においては、前蓋１１の片側面１１ｆと下ハーフ３の平面部３ｅとの当接位置を前方向位置規制突起３ｃの外側に設けているので、テープカセット２０を前蓋側の特にコーナーから落とした時、テープカセット２０のコーナーから前蓋１１の片側面１１ｆと下ハーフ３の平面部３ｅとの当接位置までの距離が実施の形態１、実施の形態２、実施の形態３に比べ短いので前蓋１１の変形を受け難くさらに前蓋１１の片側面１１ｆと下ハーフ３の平面部３ｅとの当接面を大きくしているためより確実な規制ができる利点がある。
【００４５】
【発明の効果】
以上の様に本発明においては、下ハーフの開口部の両側前面に設けた前方向位置規制突起の側面の内側同士あるいは外側同士のどちらか一方をカセット本体の長手方向に対して直角の平面部に形成すると共に、前蓋の前板の下部両側に受け面部を設け、受け面部を前板の面に対して直角の面に形成し、閉蓋時、下ハーフの平面部と前蓋の受け面部をわずかの間隔をおいて対向して位置させ、前蓋が長手方向に移動した時、下ハーフの平面部と前蓋の受け面部が当接する様に構成したことによりテープカセットを誤って床などに落下させた場合でも、前蓋の切り欠き部の片側面が下ハーフの平面部を乗り越えてしまうことがなくなるため前蓋の変形、回動軸の折れ、上蓋あるいは後蓋の外れ等が生じ蓋の開閉動作ができなくなるという重欠問題が防止できる。
【００４６】
このように、本発明によりテープカセットを誤って落とした場合においても蓋へのダメージがなく常時安定した蓋開閉動作が行える蓋構造を有するテープカセットを提供することができる。
【図面の簡単な説明】
【図１】本発明に係る実施の形態１のテープカセット１の分解斜視図
【図２】本発明に係る実施の形態１のテープカセット１のテープカセット１の底面側から見た組立斜視図
【図３】本発明に係る実施の形態１のテープカセット１のテープカセット１の落下した瞬間の状態図
【図４】本発明に係る実施の形態１のテープカセット１のテープカセット１の落下した時の前蓋とハーフ下の当接部力関係図
【図５】本発明に係る実施の形態２のテープカセット１７の開蓋状態の組立斜視図
【図６】本発明に係る実施の形態３のテープカセット１８の開蓋状態の組立斜視図
【図７】本発明に係る実施の形態４のテープカセット１９の開蓋状態の組立斜視図
【図８】本発明に係る実施の形態５のテープカセット２０の開蓋状態の組立斜視図
【図９】従来のテープカセット１０の開蓋状態図
【図１０】従来のテープカセット１０の分解斜視図
【図１１】従来のテープカセット１０の閉蓋状態図
【図１２】従来のテープカセット１０の底面側から見た組立斜視図
【図１３】従来のテープカセット１０の上蓋の斜視図
【図１４】従来のテープカセット１０の上蓋の底面側から見た図
【図１５】従来のテープカセット１０の上蓋に変形が生じた状態を底面側から見た図
【図１６】従来のテープカセット１０の落下した瞬間の状態図
【図１７】従来のテープカセット１０の落下した時の前蓋とハーフ下の当接部力関係図
【図１８】従来のテープカセット１０が落下して前蓋が変形した状態を示す図
【符号の説明】
１  （本発明の実施の形態１の）テープカセット
２  上ハーフ
３  下ハーフ
３ａ  通過口
３ｄ  前方向位置規制面
３ｅ  平面部
４  テープ
５  リール
６  開口部
７  テープガイド
８  上蓋
９  後蓋
１０  （従来の）テープカセット
１１  前蓋
１１ａ  前板
１１ｂ  側板
１１ｃ  切り欠き
１１ｆ  （切り欠きの）片側面
１１ｇ  突起
１７  （本発明の実施の形態２の）テープカセット
１８  （本発明の実施の形態３の）テープカセット
１９  （本発明の実施の形態４の）テープカセット
２０  （本発明の実施の形態５の）テープカセット
【図１】
0004284831.tif 000002
【図２】
0004284831.tif 000003
【図３】
0004284831.tif 000004
【図４】
0004284831.tif 000005
【図５】
0004284831.tif 000006
【図６】
0004284831.tif 000007
【図７】
0004284831.tif 000008
【図８】
0004284831.tif 000009
【図９】
0004284831.tif 000010
【図１０】
0004284831.tif 000011
【図１１】
0004284831.tif 000012
【図１２】
0004284831.tif 000013
【図１３】
0004284831.tif 000014
【図１４】
0004284831.tif 000015
【図１５】
0004284831.tif 000016
【図１６】
0004284831.tif 000017
【図１７】
0004284831.tif 000018
【図１８】
0004284831.tif 000019